(57)【特許請求の範囲】
【請求項１】
機種毎に個別の消費電力量で動作する外部機器が接続される画像形成装置であって、
画像形成機能を有する本体部を含み、少なくとも１つの消費電力量が異なる複数の機能部と、
それぞれ使用する機能部が異なる複数のモードの中から何れかのモードの選択を受け付ける選択受付手段と、
前記複数の機能部と前記外部機器とへ最大電力供給量以下の範囲で電力供給を行う電力供給手段と、
モード毎に使用する機能部の消費電力量と、前記外部機器の機種毎の消費電力量と、を記憶する記憶手段と、
前記記憶手段を参照して、接続されている外部機器へ該外部機器の消費電力量を削減せずに前記電力供給手段から電力供給を優先して行い、余剰電力の範囲内で動作可能なモードの選択を前記選択受付手段で受け付け可能にする外部機器優先処理、又は該選択受付手段が選択を受け付けたモードで使用する機能部へ該電力供給手段から電力供給を優先して行い、余剰電力の範囲内で外部機器の消費電力量を削減せずに動作可能な該外部機器へ該電力供給手段から電力供給を行うモード優先処理を行う制御手段と、を備える画像形成装置。
【請求項２】
前記制御手段は、前記外部機器優先処理において、前記選択受付手段が選択を受け付けたモードで使用する機能部の消費電力量と接続されている外部機器の消費電力量との合算値が前記最大電力供給量より大きい場合に、該選択受付手段が選択を受け付けるモードを制限し、制限された該選択受付手段が選択を受け付けたモードで使用する機能部と前記接続されている外部機器とへ前記電力供給手段から電力供給を行う請求項１に記載の画像形成装置。
【請求項３】
前記外部機器の識別情報を該外部機器から受信する受信手段を更に備え、
前記記憶手段は、前記外部機器の機種毎の識別情報を更に記憶し、
前記制御手段は、前記記憶手段に前記識別情報が含まれる外部機器に対してのみ前記電力供給手段から電力供給を行う請求項１又は２に記載の画像形成装置。
【請求項４】
前記受信手段は、前記外部機器の識別情報及び消費電力量を該外部機器から受信し、
前記制御手段は、前記受信手段が受信した消費電力量を、該外部機器の識別情報に基づいて前記記憶手段に記憶する請求項３に記載の画像形成装置。
【請求項５】
前記記憶手段は、前記電力供給手段が電力供給を行う外部機器を前記モード毎に対応付けて記憶し、
前記制御手段は、前記モード優先処理において、前記選択受付手段がモードの選択を受け付けると、選択を受け付けたモードで使用する機能部と該モードに対応付けられた外部機器とに対してのみ前記電力供給手段から電力供給を行う請求項１に記載の画像形成装置。
【請求項６】
モード毎に対応付ける外部機器の追加を受け付ける追加受付手段を更に備え、
前記制御手段は、前記追加受付手段が追加を受け付けたモードで使用する機能部の消費電力量と、該モードに対応付けられた外部機器の消費電力量と、追加を受け付けた外部機器の消費電力量との合算値が前記最大電力供給量以下の場合に、前記追加を受け付けた外部機器を該モードに対応付けて前記記憶手段に記憶する請求項５に記載の画像形成装置。
【発明の詳細な説明】
【技術分野】
【０００１】
この発明は、接続される外部機器へ電力供給を行う画像形成装置に関する。
【背景技術】
【０００２】
従来、画像形成装置は、電源容量に一定の制約があるため、消費電力量の大きい外部機器を接続する場合に、当該外部機器に対して商用コンセントから電力供給を行うものや、自装置の電源容量の範囲内で外部機器の消費電力量に応じた出力電力値のＡＣ電源回路を装置本体内に備えたものがあった。後者の画像形成装置は、外部機器へ商用コンセントから電力供給を行うことで生じる配線の煩わしさを解消しているが、接続される可能性がある外部機器用のＡＣ電源回路を予め装置本体内に備えておく必要があった。
【０００３】
特許文献１に記載の電源供給システムでは、外部機器が接続されると、当該外部機器から消費電力量を示す情報を取得し、該外部機器に応じた電力量を供給するようにＡＣアダプタの出力電力値を設定している。この電源供給システムでは、１つのＡＣアダプタで複数台の外部機器に対応することができる。
【０００４】
特許文献１に記載の電源供給システムを適応した画像形成装置では、外部機器が接続されると、当該外部機器の消費電力量を取得して、本体装置内のＡＣ電源回路の出力電力値を設定している。このため、この電源供給システムを適応した画像形成装置では、接続される可能性のある外部機器用のＡＣ電源回路を予め備えておく必要がなく、装置を小型化することができた。
【先行技術文献】
【特許文献】
【０００５】
【特許文献１】特開平１０−２０１０８９号公報
【発明の概要】
【発明が解決しようとする課題】
【０００６】
しかし、特許文献１に記載の電源供給システムを適応した画像形成装置では、電源容量に一定の制約があるため、同時に電力供給を行うことができる外部機器の消費電力量に制限があった。
【０００７】
そこで、この発明は、接続される外部機器が増えても、電源容量の範囲内で、自装置と外部機器とに安定して電力供給を行うことができる画像形成装置を提供することを目的とする。
【課題を解決するための手段】
【０００８】
この発明の画像形成装置は、機種毎に個別の消費電力量で動作する外部機器が接続され、複数の機能部と、選択受付手段と、電力供給手段と、記憶手段と、制御手段と、を備える。複数の機能部は、画像形成機能を有する本体部を含み、少なくとも１つの消費電力量が異なる。選択受付手段は、それぞれ使用する機能部が異なる複数のモードの中から何れかのモードの選択を受け付ける。電力供給手段は、複数の機能部と外部機器とへ最大電力供給量以下の範囲で電力供給を行う。記憶手段は、モード毎に使用する機能部の消費電力量と、外部機器の機種毎の消費電力量と、を記憶する。制御手段は、記憶手段を参照して、接続されている外部機器へ外部機器の消費電力量を削減せずに電力供給手段から電力供給を優先して行い、余剰電力の範囲内で動作可能なモードの選択を選択受付手段で受け付け可能にする外部機器優先処理、又は選択受付手段が選択を受け付けたモードで使用する機能部へ電力供給手段から電力供給を優先して行い、余剰電力の範囲内で外部機器の消費電力量を削減せずに動作可能な外部機器へ電力供給手段から電力供給を行うモード優先処理を行う。
【０００９】
この構成では、電力供給手段は、電力供給可能な最大電力供給量が定まっており、機能部と外部機器とに対して電力供給を行う。制御手段は、外部機器優先処理、又はモード優先処理を行う。外部機器優先処理では、制御手段は、接続されている外部機器に電力供給を行った状態で最大電力供給量以下の範囲内となるモードで使用する機能部と、接続されている外部機器と、へ電力供給手段から電力供給を行う。モード優先処理では、制御手段は、選択を受け付けたモードで使用する機能部に電力供給を行った状態で最大電力供給量以下の範囲内となる外部機器と、選択を受け付けたモードで使用する機能部と、へ電力供給を行う。
【００１０】
制御手段は、外部機器優先処理において、選択受付手段が選択を受け付けたモードで使用する機能部の消費電力量と接続されている外部機器の消費電力量との合算値が最大電力供給量より大きい場合に、選択受付手段が選択を受け付けるモードを制限し、制限された選択受付手段が選択を受け付けたモードで使用する機能部と接続されている外部機器とへ電力供給手段から電力供給を行う構成であることが好ましい。
【００１１】
この構成では、制御手段は、選択を受け付けたモードで使用する機能部の消費電力量と接続されている外部機器の消費電力量との合算値が最大電力供給量より大きい場合に、合算値が最大電力供給量以下の範囲内となるようモードを制限して選択受付手段に再度モードの選択を受け付けさせる。制御手段は、制限した選択受付手段が選択を受け付けたモードで使用する機能部と外部機器とへ電力供給手段から電力供給を行う。これにより、画像形成装置は、選択を受け付けたモードで使用する機能部と接続されている外部機器とへ最大電力供給量以下の範囲内で電力供給を安定して行うことができる。また、画像形成装置は、接続されている外部機器へ機能部より優先して電力供給手段から電力供給を行うことができる。
【００１２】
外部機器の識別情報を外部機器から受信する受信手段を更に備える構成であることが好ましい。この場合、記憶手段は、外部機器の機種毎の識別情報を更に記憶し、制御手段は、記憶手段に識別情報が含まれる外部機器に対してのみ電力供給手段から電力供給を行う。
【００１３】
この構成では、制御手段は、予め識別情報が記憶手段に記憶されていない外部機器に対して電力供給を行わず、予め識別情報が記憶手段に記憶されている外部機器に対してのみ電力供給手段から電力供給を行う。これにより、画像形成装置は、最大電力供給量以下の範囲内で外部機器を予め記憶手段に記憶しておくことで、選択を受け付けたモードで使用する機能部と記憶手段に記憶されている外部機器とへ最大電力供給量以下の範囲内で電力供給を確実に行うことができる。
【００１４】
受信手段は、外部機器の識別情報及び消費電力量を外部機器から受信する構成であることが好ましい。この場合、制御手段は、受信手段が受信した消費電力量を、外部機器の識別情報に基づいて記憶手段に記憶する。
【００１５】
この構成では、制御手段は、外部機器から受信した消費電力量を記憶手段へ記憶する。これにより、画像形成装置は、予め消費電力量が記憶手段に記憶されていない外部機器であっても、外部機器から消費電力量を取得することができるため、外部機器へ電力供給を行うことができる。
【００１６】
記憶手段は、電力供給手段が電力供給を行う外部機器をモード毎に対応付けて記憶する構成であることが好ましい。この場合、制御手段は、モード優先処理において、選択受付手段がモードの選択を受け付けると、選択を受け付けたモードで使用する機能部とモードに対応付けられた外部機器とに対してのみ電力供給手段から電力供給を行う。
【００１７】
この構成では、記憶手段は、モードで使用する機能部の消費電力量と外部機器の消費電力量の合算値が最大電力供給量以下の範囲内で、モード毎に電力供給を行う外部機器を予め記憶手段に記憶しておく。制御手段は、選択受付手段が選択を受け付けたモードで使用する機能部と当該モードに対応付けられた外部機器とへ電力供給手段から電力供給を行う。これにより、画像形成装置は、モード毎に電力供給を行う外部機器を予め対応付けているため、選択を受け付けたモードで使用する機能部と当該モードに対応付けられた外部機器とへ最大電力供給量以下の範囲内で電力供給を安定して行うことができる。また、画像形成装置は、選択を受け付けたモードで使用する機能部へ接続されている外部機器より優先して電力供給手段から電力供給を行うことができる。
【００１８】
モード毎に対応付ける外部機器の追加を受け付ける追加受付手段を更に備える構成であることが好ましい。この場合、制御手段は、追加受付手段が追加を受け付けたモードで使用する機能部の消費電力量と、モードに対応付けられた外部機器の消費電力量と、追加を受け付けた外部機器の消費電力量との合算値が最大電力供給量以下の場合に、追加を受け付けた外部機器をモードに対応付けて記憶手段に記憶する。
【００１９】
この構成では、制御手段は、モードに対応付ける外部機器の追加を追加受付手段が受け付けると、追加を受け付けたモードで使用する機能部の消費電力量と、モードに対応付けられた外部機器の消費電力量と、追加を受け付けた外部機器の消費電力量との合算値を算出する。そして、制御手段は、算出した合算値が最大電力供給量以下の範囲内で、追加を受け付けた外部機器を該モードに対応付けて記憶手段に記憶する。これにより、画像形成装置は、最大電力供給量以下の範囲内でモード毎に対応付ける外部機器を追加することができる。
【発明の効果】
【００２０】
この発明の画像形成装置は、選択を受け付けたモードで使用する機能部と接続されている外部機器とへ最大電力供給量以下の範囲内で電力供給を安定して行うことができる。
【図面の簡単な説明】
【００２１】
【図１】画像形成装置の使用環境の一例を示す図である。
【図２】画像形成装置の概略の正面断面図である。
【図３】画像形成装置の機能、構成を示すブロック図である。
【図４】最大電力供給量の一例、各モードで使用する内部装置及び消費電力量の一例、及び外部機器の識別情報及び消費電力量の一例を示す図である。
【図５】外部機器のＵＳＢ接続検出時における制御部の処理の流れを示すフローチャートである。
【図６】モード毎の合計電力量の一例を示す図である。
【図７】モードに対応付けた外部機器の一例を示す図である。
【図８】モードの選択時における制御部の処理の流れを示すフローチャートである。
【図９】モードに対応付ける外部機器の追加時における制御部の処理の流れを示すフローチャートである。
【図１０】モード毎の合計電力量の一例を示す図である。
【発明を実施するための形態】
【実施例１】
【００２２】
以下に、この発明の実施例１に係る画像形成装置１００について図面を参照して詳細に説明する。
【００２３】
図１に示すように、画像形成装置１００には、外部機器であるカラーインクジェットプリンタ（以下、カラープリンタと称す。）９Ａ、カラースキャナ９Ｂ、モノクロレーザビームプリンタ（以下、モノクロプリンタと称す。）９ＣがＵＳＢ接続されている。画像形成装置１００は、接続されているカラープリンタ９Ａ、カラースキャナ９Ｂ、及びモノクロプリンタ９Ｃへ電力供給を行う。
【００２４】
図２に示すように、画像形成装置１００は、本体装置（本発明の本体部に相当する。）１０１の内部に画像形成部２、給紙部３、空間部４、及び排出部５を備え、上面に画像読取装置１、左側面に後処理装置６を装着している。画像形成部２は、空間部４及び排出部５を挟んで画像読取装置１の下方に配置されている。給紙部３は、画像形成部２の下方に配置されている。
【００２５】
画像読取装置１は、上面に原稿台１１を備え、原稿台１１の下方に第１スキャンユニット１２、第２スキャンユニット１３、レンズ１４及び固体撮像素子（ＣＣＤ）１５を備えている。第１スキャンユニット１２は、光源１６及びミラー１７を搭載して水平方向に移動する。第２スキャンユニット１３は、ミラー１８及び１９を搭載して水平方向に第１スキャンユニット１２の１／２の速度で水平方向に移動する。
【００２６】
画像読取装置１において、第１スキャンユニット１２及び第２スキャンユニット１３が水平方向に往動する間に、光源１６は原稿台１１の上面に載置された原稿の全面を順次露光する。光源１６の光の原稿における反射光は、ミラー１７〜１９により一定の光路長を維持されつつ、レンズ１４方向に導かれる。レンズ１４は、この反射光をＣＣＤ１５の受光面に結像させる。ＣＣＤ１５は、受光面における反射光の光量に応じた電気信号を画像形成部２に出力する。画像読取装置１から出力された電気信号は、画像形成部２において、ディジタルデータに変換された後に所定の画像処理を施され、画像データとして格納される。
【００２７】
画像形成部２には、感光体ドラム２１が回転自在に支持されている。感光体ドラム２１の周囲には、帯電器２２、露光ユニット２３、現像ユニット２４及び転写ローラ２５が配置されている。帯電器２２は、感光体ドラム２１の表面を均一に帯電させる。露光ユニット２３は、画像データによって変調された画像光を感光体ドラム２１の表面に照射し、感光体ドラム２１の表面に静電潜像を形成する。現像ユニット２４は、感光体ドラム２１の表面に現像剤を供給し、静電潜像をトナー像に顕像化する。転写ローラ２５は、給紙部３から給紙された用紙を挟んで感光体ドラム２１の表面に対向しており、感光体ドラム２１の表面との間に転写電界を形成してトナー像を用紙に転写する。
【００２８】
画像形成部２は、内部において排出部５に連続している。排出部５は、空間部４の右側に位置している。画像形成部２には、下端側が給紙部３に連通し、上端側が排出部５に達する用紙搬送路２６が形成されている。この用紙搬送路２６には、定着ユニット２７が配置されている。定着ユニット２７は、トナー像が転写された用紙を加熱及び加圧し、トナー像を用紙の表面に定着させる。排出部５には、空間部４に対向する排出口５１及び５２が上下２段に備えられており、定着ユニット２７を通過した用紙を空間部４に向けて排出する。
【００２９】
給紙部３は、給紙カセット３１及び３２を備えている。給紙カセット３１及び３２には、所定枚数の用紙が収納される。また、給紙部３の右側面には、手差しトレイ３３が装着されている。手差しトレイ３３には、所定枚数の用紙が載置される。給紙部３は、給紙ローラ３４、３５又は３６の回転により、用紙を１枚ずつ画像形成部２の用紙搬送路２６内に給紙する。
【００３０】
後処理装置６には、右側面の上部に搬入口６２が形成されており、左側面に複数段のトレイ６１が装着されている。後処理装置６は、空間部４から搬入口６２を経由して順次搬入された複数枚の画像形成済の用紙を、トレイ６１においてソート処理又はスタック処理する。
【００３１】
図３に示すように、画像形成装置１００は、画像読取装置１、本体装置１０１、及び後処理装置６の内部装置（本発明の機能部に相当する。）の他に、操作部（本発明の選択受付手段、追加受付手段に相当する。）７０、制御部７１、記憶部７２、電源ユニット（本発明の電力供給手段に相当する。）７３、ＵＳＢＩ／Ｆ（本発明の受信手段に相当する。）７４Ａ〜７４Ｃ、及びＯＵＴＬＥＴ７５Ａ〜７５Ｃを備える。
【００３２】
また、画像形成装置１００は、フルオプションモード、基本コピー動作モード、本体装置動作モード、画像読取装置動作モード、及びスタンバイモードの何れかのモードで動作する。フルオプションコピーモードは、画像読取装置１による原稿のスキャン、本体装置１０１による画像データに基づく画像形成、及び後処理装置６によるソートやパンチ穴形成等の処理を行う。基本コピー動作モードは、画像読取装置１による原稿のスキャン、及び本体装置１０１による画像データに基づく画像形成を行う。本体装置動作モードは、本体装置１０１による画像データに基づく画像形成を行う。画像読取装置動作モードでは、画像読取装置１による原稿のスキャンを行う。スタンバイモードは、各内部装置の使用を一時停止する。
【００３３】
操作部７０は、フルオプションコピーモード、基本コピー動作モード、及び本体装置動作モード、画像読取装置動作モードの何れかのモードの選択をユーザから受け付ける。
【００３４】
制御部７１は、各内部装置及び各機能部を制御する。例えば、制御部７１は、操作部７０が選択を受け付けたモードで使用する内部装置へ電源ユニット７３から電力供給を行う。制御部７１は、操作部７０がモードの選択を受け付けてから所定時間経過後等にスタンバイモードへ切り換えて、各内部装置への電源ユニット７３からの電力供給を一時停止する。
【００３５】
記憶部７２は、画像形成装置１００の最大電力供給量と、各モードで使用する内部装置及び消費電力量と、外部機器の識別情報及び消費電力量と、を記憶しており、制御部７１により参照される。識別情報とは、ＵＳＢ接続された外部機器を識別するための情報である。
【００３６】
一例として図４（Ａ）に示すように、最大電力供給量は、画像形成装置１００がコンセント８から供給可能な電力量のことであり、フルオプションコピーモード時における画像形成装置１００の消費電力量と一致する。画像形成装置１００は、最大電力供給量の範囲内で、各内部装置とＵＳＢ接続された外部機器とに対して電力供給可能である。
【００３７】
一例として図４（Ｂ）に示すように、各モードで使用する内部装置がそれぞれ異なる。各モードでの消費電力量は、少なくとも１つの内部装置の消費電力量が他の内部装置の消費電力量と異なるため、それぞれ異なる。図中○印が使用する内部装置を示し、×印が使用しない内部装置を示す。
【００３８】
一例として図４（Ｃ）に示すように、外部機器の識別情報及び消費電力量は、各外部機器の合計電力量が最大電力供給量以下の範囲内で記憶部７２に記憶されており、制御部７１により更新される。制御部７１は、外部機器の識別情報及び消費電力量の追加を操作部７０が受け付けると、記憶部７２に記憶している外部機器の消費電力量と操作部７０が追加を受け付けた外部機器の消費電力量との合計電力量が最大電力供給量以下の範囲内であれば、記憶部７２に追加する。また、制御部７１は、記憶部７２に記憶されている外部機器の識別情報及び消費電力量の削除を操作部７０が受け付けると、記憶部７２から削除する。
【００３９】
電源ユニット７３は、商用のコンセント８に接続され、コンセント８から供給されたＡＣ電源をＤＣ電源に変換する。電源ユニット７３は、複数の電源出力系統を独立制御可能とする電源インタフェース回路を備え、制御部７１の指示に基づいて各内部装置への電源出力を独立制御する。電源ユニット７３は、制御部７１の指示に基づいてＯＵＴＬＥＴ７５Ａ〜７５Ｃを介して外部機器へ電力供給を行う。
【００４０】
ＵＳＢＩ／Ｆ７４Ａ〜７４Ｃ及びＯＵＴＬＥＴ７５Ａ〜７５Ｃには、それぞれカラープリンタ９Ａ、カラースキャナ９Ｂ、及びモノクロプリンタ９Ｃが接続される。制御部７１は、ＵＳＢＩ／Ｆ７４Ａ〜７４Ｃを介して、各外部機器と各種データの送受信を行う。
【００４１】
また、ＵＳＢＩ／Ｆ７４Ａ及びＯＵＴＬＥＴ７５Ａと、ＵＳＢＩ／Ｆ７４Ｂ及びＯＵＴＬＥＴ７５Ｂと、ＵＳＢＩ／Ｆ７４Ｃ及びＯＵＴＬＥＴ７５Ｃとはそれぞれ対応付けられており、同一の外部機器が接続される。制御部７１は、例えば、ＵＳＢＩ／Ｆ７４Ａから取得した機種情報に応じて、ＯＵＴＬＥＴ７５Ａの出力電力値を設定する。
【００４２】
次に、外部機器のＵＳＢ接続検出時における制御部７１の処理の流れについて図５，６を参照して説明する。なお、制御部７１は、フルオプションコピーモードの選択を既に受け付けているものとして以下に説明する。
【００４３】
図５に示すように、制御部７１は、ＵＳＢＩ／Ｆ７４Ａ〜７４Ｃを介した外部機器のＵＳＢ接続を検出するまで待つ（Ｓ１１：ＮＯ）。制御部７１は、ＯＵＴＬＥＴ７５Ａ〜７５Ｃを介した外部機器の接続を検出しただけでは、外部機器への電力供給を行わない。制御部７１は、外部機器の識別情報を外部機器から取得できないからである。
【００４４】
制御部７１は、外部機器（カラープリンタ９Ａ、カラースキャナ９Ｂ、及びモノクロプリンタ９Ｃ）のＵＳＢ接続を検出すると（Ｓ１１：ＹＥＳ）、各外部機器からそれぞれＵＳＢＩ／Ｆ７４Ａ〜７４Ｃを介して識別情報を受信する（Ｓ１２）。この時、制御部７１は、フルオプションコピーモードからスタンバイモードへ切り換えて、電力供給を一時停止するからである。
【００４５】
制御部７１は、識別情報が記憶部７２に記憶されていない外部機器に対して電力供給を行わず（Ｓ１３：ＮＯ→Ｓ１４）、識別情報が記憶部７２に記憶されている外部機器（カラープリンタ９Ａ、カラースキャナ９Ｂ、モノクロプリンタ９Ｃ）に対してのみ電源ユニット７３から電力供給を行う（Ｓ１３：ＹＥＳ→Ｓ１５）。この時、制御部７１は、記憶部７２を参照して、識別情報に対応付けられた消費電力量を、当該識別情報を受信したＵＳＢＩ／Ｆ７４Ａ〜７４Ｃに対応付けられたＯＵＴＬＥＴ７５Ａ〜７５Ｃの出力電力値に設定する。
【００４６】
制御部７１は、フルオプションコピーモードでの消費電力量（１３５０Ｗ）と電力供給を行った外部機器の消費電力量（カラープリンタ９Ａ：５５Ｗ、カラースキャナ９Ｂ：４０Ｗ、及びモノクロプリンタ９Ｃ：５５０Ｗ）とを加算して合計電力量（１９９５Ｗ）を算出する（Ｓ１６）。
【００４７】
制御部７１は、図６（Ａ）に示すように、フルオプションコピーモードでは合計電力量（１９９５Ｗ）が最大電力供給量（１３５０Ｗ）より大きい（Ｓ１７：ＮＯ）。制御部７１は、合計電力量が最大電力供給量以下の範囲内になるモード（本体装置動作モード、画像読取装置動作モード）を算出する（Ｓ１８）。制御部７１は、本体装置動作モード及び画像読取装置動作モードの中から何れかのモードの選択を操作部７０に受け付けさせる（Ｓ１９）。
【００４８】
制御部７１は、操作部７０がモードの選択を受け付けるまで待つ（Ｓ２０：ＮＯ）。制御部７１は、操作部７０がモードの選択を受け付けると（Ｓ２０：ＹＥＳ）、スタンバイモードから選択したモードに切り換えて、選択したモードに不要な電源出力系統を遮断する（Ｓ２１）。例えば、制御部７１は、本体装置動作モードの選択を受け付けると、本体装置１０１のみに対して電源ユニット７３から電力供給を行い、画像読取装置１、後処理装置６へ電力供給を行わない。
【００４９】
また、制御部７１は、合計電力量が最大電力供給量以下の場合に（Ｓ１７：ＹＥＳ）、スタンバイモードからフルオプションコピーモードに切り換えて、フルオプションコピーモードに不要な電源出力系統を遮断する（Ｓ２１）。この時、制御部７１は、画像読取装置１、本体装置１０１、及び後処理装置６に対して電源ユニット７３から電力供給を行う。
【００５０】
例えば、図６（Ｂ）に示すように、制御部７１は、フルオプションモードの選択を受け付けた状態で、モノクロプリンタ９ＣのみがＵＳＢ接続された場合に（Ｓ１１）、基本コピー動作モード、本体装置動作モード、画像読取装置動作モードの中から何れかのモードの選択を受け付ける（Ｓ２０）。
【００５１】
また、例えば、図６（Ｃ）に示すように、制御部７１は、フルオプションモードの選択を受け付けた状態で、カラープリンタ９Ａ、カラースキャナ９Ｂ、モノクロプリンタ９Ｃ、ＦＡＸ装置がＵＳＢ接続された場合に（Ｓ１１）、カラープリンタ９Ａ、カラースキャナ９Ｂ、モノクロプリンタ９Ｃに対してのみ電源ユニット７３から電力供給を行う（Ｓ１３：ＹＥＳ→Ｓ１５）。制御部７１は、記憶部７２に識別情報が記憶されていないＦＡＸ装置に対して電力供給を行わない（Ｓ１３：ＮＯ→Ｓ１４）。そして、制御部７１は、本体装置動作モード、画像読取装置動作モードの中から何れかのモードの選択を受け付ける（Ｓ２０）。
【００５２】
以上のように、制御部７１は、接続されている外部機器とモードで使用する内部装置との合計電力量が最大電力供給量より大きい場合に、合計電力量が最大電力供給量以下の範囲内になるモードに切り換えることで、最大電力供給量以下の範囲内で接続されている外部機器と切り換え後のモードで使用する内部装置とへ安定して電力供給を行うことができる。制御部７１は、接続されている外部機器へ内部装置よりも優先して電力供給を行うことで、接続されている外部機器へ確実に電力供給を行うことができる。
【００５３】
また、制御部７１は、記憶部７２に識別情報が記憶されている外部機器の合計電力量が最大電力供給量以下の範囲内であるため、記憶部７２に識別情報が記憶されている外部機器に対してのみ電源ユニット７３から電力供給を行うことで、接続されている外部機器へ最大電力供給量を超えて電力供給を行うことがない。
【００５４】
なお、上述の実施例では、画像形成装置１００は、外部機器の識別情報及び消費電力量を記憶部７２に記憶し、接続されている外部機器から識別情報を受信した。しかし、画像形成装置１００は、外部機器の識別情報を記憶部７２に記憶し、接続されている外部機器から識別情報及び消費電力量を受信してもよい。この場合、画像形成装置１００は、予め消費電力量が記憶部７２に記憶されていない外部機器であっても、外部機器から消費電力量を取得することができるため、外部機器へ電力供給を行うことができる。
【００５５】
なお、上述の実施例では、接続されている外部機器に電力供給を行った後に、モードの切り換えを行った。しかし、モードの切り換えを行った後に、接続されている外部機器に電力供給を行ってもよい。
【実施例２】
【００５６】
この発明の実施例２に係る画像形成装置１００’は、選択したモードに対応付けられた外部機器へ電力供給を行う点で、接続される外部機器へ優先的に電力供給を行っても、電力供給可能な範囲内でモードを選択する実施例１に係る画像形成装置１００と相違する。以下、相違点についてのみ説明する。
【００５７】
記憶部７２は、一例として図４（Ａ）に示す画像形成装置１００’の最大電力供給量と、一例として図４（Ｂ）に示す各モードで使用する内部装置及び消費電力量と、モード毎に対応付けられた外部機器と、を記憶しており、制御部７１により参照される。
【００５８】
一例として図７に示すように、モード毎に各種外部機器が対応付けられている。制御部７１は、操作部７０がモードの選択を受け付けると、当該モードに対応付けられた外部機器に対して電源ユニット７３から電力供給を行う。図７は、図中○印が電力供給を行う外部機器を示し、−印が電力供給を行わない外部機器を示す。（）内は、外部機器の識別情報及び消費電力量を示す。
【００５９】
次に、モードの選択時における制御部７１の処理の流れについて図８を参照して説明する。なお、制御部７１は、基本コピー動作モードの選択を受け付けるものとして以下に説明する。
【００６０】
図８に示すように、制御部７１は、モードの選択を操作部７０が受け付けるまで待って（Ｓ３１：ＮＯ）、基本コピー動作モードの選択を操作部７０が受け付けると（Ｓ３１：ＹＥＳ）、ＵＳＢ接続された外部機器の有無を検出する（Ｓ３２）。
【００６１】
制御部７１は、外部機器（カラープリンタ９Ａ、カラースキャナ９Ｂ、及びモノクロプリンタ９Ｃ）のＵＳＢ接続を検出すると（Ｓ３２：ＹＥＳ）、各外部機器からそれぞれＵＳＢＩ／Ｆ７４Ａ〜７４Ｃを介して識別情報を受信する（Ｓ３３）。
【００６２】
制御部７１は、記憶部７２を参照して、受信した識別情報の外部機器が基本コピー動作モードに対応付けられた外部機器であるか否かを判断する（Ｓ３４）。制御部７１は、基本コピー動作モードに識別情報が対応付けられていない外部機器（カラープリンタ９Ａ、カラースキャナ９Ｂ）に対して電力供給を行わず（Ｓ３４：ＮＯ→Ｓ３５）、識別情報が対応付けられた外部機器（モノクロプリンタ９Ｃ）に対してのみ電源ユニット７３から電力供給を行う（Ｓ３４：ＹＥＳ→Ｓ３６）。
【００６３】
制御部７１は、基本コピー動作モードに不要な電源出力系統を遮断する（Ｓ３７）。すなわち、制御部７１は、画像読取装置１及び本体装置１０１に対してのみ電源ユニット７３から電力供給を行い、後処理装置６に対して電力供給を行わない。
【００６４】
また、制御部７１は、外部機器のＵＳＢ接続を検出しない場合に（Ｓ３２：ＮＯ）、Ｓ３７の処理へ進む。
【００６５】
また、モードに対応付ける外部機器を更新する際における制御部７１の処理の流れについて図９，１０を参照して説明する。以下、カラープリンタ９Ａが対応付けられた画像読取装置動作モード（図１０（Ａ）参照）に、モノクロプリンタ９Ｃを追加して対応付ける場合を例にあげて説明する。
【００６６】
図９に示すように、制御部７１は、モードに対応付ける外部機器の追加を操作部７０が受け付けるまで待つ（Ｓ４１：ＮＯ）。制御部７１は、外部機器（モノクロプリンタ９Ｃ）の追加を操作部７０が受け付けると（Ｓ４１：ＹＥＳ）、図１０（Ａ）に示す画像読取装置動作モードの消費電力量（３００Ｗ）と画像読取装置動作モードに対応付けられた外部機器（カラープリンタ９Ａ）の消費電力量（５５Ｗ）との合計電力量（３５５Ｗ）に、追加を受け付けた外部機器（モノクロプリンタ９Ｃ）の消費電力量（５５０Ｗ）を加算しての合計電力量（９０５Ｗ）を算出する（図１０（Ｂ）参照。）（Ｓ４２）。
【００６７】
制御部７１は、合計電力量（９０５Ｗ）が最大電力供給量（１３５０Ｗ）以下の範囲内の場合に（Ｓ４３：ＹＥＳ）、画像読取装置動作モードに対応付けられた外部機器としてモノクロプリンタ９Ｃを追加する（Ｓ４４）。また、制御部７１は、合計電力量が最大電力供給量より大きい場合は（Ｓ４３：ＮＯ）、モノクロプリンタ９Ｃを追加しない（Ｓ４５）。
【００６８】
また、制御部７１は、モードに対応付けられた外部機器の削除を操作部７０が受け付けると、当該外部機器を記憶部７２から削除する。
【００６９】
以上のように、制御部７１は、モードで使用する内部装置と当該モードに対応付けられた外部機器との合計電力量が最大電力供給量以下の範囲内でモード毎に外部機器を予め対応付けておくことで、モードの選択を受け付けるだけで、最大電力供給量以下の範囲内で選択を受け付けたモードで使用する内部装置と当該モードで対応付けられた外部機器とへ安定して電力供給を行うことができる。制御部７１は、モードで使用する内部装置へ外部機器よりも優先しての電力供給を行うことで、選択したモードで使用する内部装置へ確実に電力供給を行うことができる。
【００７０】
なお、上述の実施例では、最大電力供給量をフルオプションコピーモード時における画像形成装置の消費電力量に一致させた。しかし、最大電力供給量は、フルオプションコピーモードの消費電力量と所定の消費電力量との加算値としてもよい。この場合、フルオプションコピーモードを選択してもフルオプションモードで使用する内部装置と外部機器とへ電力供給を行うことができる。
【００７１】
なお、上述の実施例では、外部機器の識別情報を記憶部７２に記憶したが、外部機器の機種情報を記憶部７２に記憶してもよい。この場合、制御部７１は、記憶部７２に記憶する機種情報と、同機種の外部機器であれば電力供給を行う。
【００７２】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内でのすべての変更が含まれることが意図される。
【符号の説明】
【００７３】
１…画像読取装置
１００…画像形成装置
１０１…本体装置
６…後処理装置
７…制御部
７０…操作部
７１…制御部
７２…記憶部
７３…電源ユニット
７４Ａ…ＵＳＢＩ／Ｆ
９Ａ…カラープリンタ
９Ｂ…カラースキャナ
９Ｃ…モノクロプリンタ
【図１】
0005623166.tif 000002
【図２】
0005623166.tif 000003
【図３】
0005623166.tif 000004
【図４】
0005623166.tif 000005
【図５】
0005623166.tif 000006
【図６】
0005623166.tif 000007
【図７】
0005623166.tif 000008
【図８】
0005623166.tif 000009
【図９】
0005623166.tif 000010
【図１０】
0005623166.tif 000011